(57)【要約】  当該照明装置が、少なくとも部分的に光透過性である少なくとも１つのカバーを有しており、該カバーが、少なくとも１つの光源、特に発光ダイオードを覆っていて、該少なくとも１つの光源と前記カバーとの間に中空室が存在しており、さらに当該照明装置が、少なくとも１つの冷却体構造体を有しており、該冷却体構造体が、少なくとも部分的に前記中空室内に位置しており、かつ／または少なくとも部分的に前記カバー内に嵌め込まれていることを特徴とする照明装置。
2013517608.tif 000002
【特許請求の範囲】
【請求項１】
照明装置（１；２１；４１；５１；６１；７１；８１；９１；１０１；１１１；１２１；１３１；１４１；１５１；１６１；１７１）において、
−少なくとも部分的に光透過性である少なくとも１つのカバー（４；２４；６４；１４４；１５４；１６４）が設けられており、該カバーが、少なくとも１つの光源（３３）、特に発光ダイオードを覆っていて、該少なくとも１つの光源（３３）と前記カバーとの間に中空室（９；２９）が存在しており、
−少なくとも１つの冷却体構造体（３ｂ；２３ｂ；４３ｂ，４３ｃ，４３ｄ；５３ｂ，５３ｃ，５３ｄ；６３ｂ，６３ｃ，６３ｄ；７３；８３ｂ；９３ｂ；１０３ｂ；１１３ｂ，１１３ｃ，１１３ｄ；１２３ｂ，１２３ｃ，１２３ｄ；１３３ｂ，１３３ｃ，１３３ｄ；１４３ｂ；１５３ｂ；１６３ｂ，１６３ｃ；１７３ｂ）が設けられており、該冷却体構造体が、少なくとも部分的に前記中空室（９；２９）内に位置しており、かつ／または少なくとも部分的に前記カバー内に嵌め込まれている、
ことを特徴とする照明装置。
【請求項２】
前記カバー（４；２４；６４；１４４；１５４；１６４）がバルブであり、前記中空室がバルブ室（９；２９）である、請求項１記載の照明装置。
【請求項３】
冷却体構造体が、冷却体基部（３ａ；２３ａ）、特に該冷却体基部（３ａ；２３ａ）に設けられた、前記少なくとも１つの光源のための装着面に結合されている、請求項１または２記載の照明装置。
【請求項４】
冷却体構造体（３ｂ；２３ｂ；４３ｂ，４３ｃ，４３ｄ；５３ｂ，５３ｃ，５３ｄ；６３ｂ，６３ｃ，６３ｄ；７３；８３ｂ；９３ｂ；１０３ｂ；１１３ｂ，１１３ｃ，１１３ｄ；１２３ｂ，１２３ｃ，１２３ｄ；１３３ｂ，１３３ｃ，１３３ｄ；１７３ｂ）が、少なくとも部分的に、特に完全に、前記中空室の内部に配置されている、請求項１から３までのいずれか１項記載の照明装置（１；２１；４１；５１；６１；７１；８１；９１；１０１；１１１；１２１；１３１；１７１）。
【請求項５】
冷却体構造体（１４３ｂ；１５３ｂ；１６３ｂ，１６３ｃ）が、前記カバーの光透過性の材料によって少なくとも部分的に取り囲まれており、特に前記カバーの流込み成形時に前記カバーの光透過性の材料によって取り囲まれている、請求項１または２記載の照明装置（１４１；１５１；１６１）。
【請求項６】
冷却体構造体が、少なくとも１つの線材および／または糸（１５３ｂ；１６３ｂ，１６３ｃ）を有している、請求項５記載の照明装置（１５１；１６１）。
【請求項７】
冷却体構造体が、少なくとも前記中空室の中央にまで起立しており、特に前記中空室の少なくとも上側１／４のところまで、特に前記中空室の上側の先端まで起立している、請求項１から６までのいずれか１項記載の照明装置。
【請求項８】
冷却体構造体が、バルブの一部、特にバルブの前側の部分の代わりに使用されている、請求項１から７までのいずれか１項記載の照明装置。
【請求項９】
冷却体構造体が、回転対称的に配置された複数の冷却体構造体（７３；９３ｂ）、特に冷却ステー（７３）を有している、請求項１から８までのいずれか１項記載の照明装置（７１；９１）。
【請求項１０】
前記冷却ステー（７３）が、少なくとも所定の区分にわたって、前記カバー、特にバルブに向かって拡幅した横断面形状を有している、請求項９記載の照明装置（７１）。
【請求項１１】
冷却体構造体の表面の大部分が、バルブの前側の半部に位置している、請求項１から１０までのいずれか１項記載の照明装置。
【請求項１２】
冷却体構造体の少なくとも一部が、光学的に活性の表面、特に反射性の表面を有している、請求項１から１１までのいずれか１項記載の照明装置。
【請求項１３】
冷却体構造体が、センタコラム（８３ｂ；１０３ｂ；１１３ｃ；１２３ｃ；１３３ｃ）を有しており、該センタコラムが、装着範囲から前方へ向かってバルブにまで突出している、請求項１から１２までのいずれか１項記載の照明装置（８１；１０１；１１１；１２１；１３１）。
【請求項１４】
前記センタコラム（８３ｂ；１０３ｂ）の前側の範囲が、前記センタコラムを取り囲む少なくとも２つの光源（３３）のグループよりも、少なくとも部分的に側方へ大きく延びている、請求項１３記載の照明装置（８１；１０１）。
【請求項１５】
当該照明装置が、レトロフィットランプ、特に白熱ランプ代替レトロフィットランプであることを特徴とする照明装置。
【発明の詳細な説明】
【技術分野】
【０００１】
本発明は照明装置、特にＬＥＤ照明装置、特にＬＥＤレトロフィットランプ、すなわちＬＥＤ後付けランプに関する。
【０００２】
一般に、発光ダイオードは比較的高い温度では低い明るさおよび低い寿命を有している。ＬＥＤランプは典型的にはベース（口金）と、冷却体（ヒートシンク）と、ＬＥＤモジュールと、半透明／透明のランプバルブまたは半透明／透明のカバーディスクとを有している。ＬＥＤレトロフィットランプでは、熱排出のために典型的には冷却体が使用される。しかし、冷却体のために提供されているスペースは制限されていて、特に規格制限されたランプのためには、とりわけバルブとドライバ電子装置とのために必要となる所要スペースにより制限されている。これにより、冷却のために効果的に使用可能な容積の大きさ、ひいては冷却能力は制限されている。
【０００３】
本発明の課題は、上記欠点を少なくとも部分的に回避し、かつ特に規格制限された照明装置のためにも改善された冷却のための手段を提供することである。
【０００４】
この課題は、請求項１に記載の特徴により解決される。本発明の有利な実施態様は特に請求項２以下に記載されている。
【０００５】
この課題は、照明装置において、当該照明装置が、少なくとも部分的に光透過性である少なくとも１つのカバーを有しており、該カバーが、少なくとも１つの光源、特に発光ダイオードを覆っていて、該少なくとも１つの光源と前記カバーとの間に中空室が存在しており、当該照明装置が、少なくとも１つのヒートシンク構造体もしくは冷却体構造体を有しており、該冷却体構造体が、少なくとも部分的に前記中空室内に位置しており、かつ／または少なくとも部分的に前記カバー内に嵌め込まれていることを特徴とする照明装置により解決される。
【０００６】
ヒートシンクもしくは冷却体は、前記冷却体構造体を介して付加的に前記カバーの範囲に突入して放熱され、ひいては照明装置の大きさや光学レンズ系を変える必要なしに一層良好に冷却され得る。すなわち、ランプ規格内で改善された冷却を得るために、より大きな熱損失出力を導出することができる。
【０００７】
冷却体構造体は、特に少なくとも部分的に、ひいては完全にも、前記少なくとも１つの光源の前方に配置されていてよい。「〜の前方」／「前側の〜」もしくは「〜の後方」／「後側の〜」という規定は、光源の主放射方向または光軸に関するものである。したがって、「光源の前方」とは、前記少なくとも１つの光源の前方における、主放射方向によってセンタリングされている半割室（「前側の半割室」）に位置決めされていることを意味する。たとえば、発光ダイオードはランベルトの放射器として前側の半割室内へ光線を放射することができるが、しかし別の手段なしには、この半割室に対して相補的な「後側の半割室」内へ光線を放射することができない。
【０００８】
当該照明装置はさらに、前記少なくとも１つの光源のための装着面を備えたヒートシンク基部もしくは冷却体基部と、前記少なくとも１つの光源に関して後側に配置されかつ／または側方で外側へ向けられた慣用のヒートシンク構造体もしくは冷却体構造体とを有していてよい。この冷却体基部は、ほぼ慣用のヒートシンクもしくは冷却体に相当していてよい。光源は直接に冷却体基部に設けられているか、もしくは取り付けられていてよく、たとえば接着ペーストまたは接着テープによって取り付けられているか、またはたとえば支持基板、たとえばサブマウントおよび／またはボード（プリント回線板）を介して間接的に冷却体基部に設けられてよい。
【０００９】
本発明の構成では、前記少なくとも１つの冷却体構造体が、冷却体基部に結合されている。これにより、前記少なくとも１つの冷却体構造体への特に効果的な熱伝導が達成され得る。
【００１０】
本発明の別の構成では、前記少なくとも１つの冷却体構造体が、前記少なくとも１つの光源のための冷却体基部の装着面に結合されている。こうして得られた、前記少なくとも１つの光源が直接にまたは間接的に装着される比較的温かい装着面への冷却体構造体の良好な熱結合により、冷却体構造体（たとえば「内部」の冷却体フィンまたは冷却体ステー）への強力な熱流が可能となり、これにより改善された冷却が得られる。さらに、コンパクトな構造が助成される。
【００１１】
前記少なくとも１つの冷却体構造体は、一緒になって（全）冷却体を形成する冷却体基部と共に単一部分または複数部分から形成されていてよい。前記少なくとも１つの冷却体構造体は、たとえば別個に製造された冷却体部分であってよい。この冷却体部分は冷却体基部、特にその装着面に接着されているか、またはこの冷却体基部に差し被されている。最適化された熱結合および機械的な安定性のためには、前記少なくとも１つの冷却体構造体が冷却体基部と一体に形成されていてよく、たとえば鋳造により製作されていてよい。
【００１２】
前記少なくとも１つの光源の種類は基本的に制限されていない。前記少なくとも１つの光源は、特に半導体光源、たとえばレーザダイオードおよび／または発光ダイオードであってよい。
【００１３】
前記カバーの光透過性の材料は、透明または半透明（たとえば乳白色）の材料を有していてよい。前記カバーは、プラスチック、ガラスまたはセラミックスを用いて、特にプラスチック、ガラスまたはセラミックスから製造されていてよい。
【００１４】
プラスチックは、特に熱伝導性でかつ十分に熱安定性である光透過性のプラスチック、たとえばポリカーボネートであってよい。一層良好な熱伝導性のために最適化された構成では、光透過性の材料が、より高い熱伝導性の粒子で充填されたプラスチックを有していてよい。択一的には、前記カバーがガラス、特に１．１Ｗ／（ｍ・Ｋ）よりも高い熱伝導率を有する熱伝導性のガラス、たとえば１．２Ｗ／（ｍ・Ｋ）を有するボロフロート（Borofloat）を有していてよい。択一的には、なお一層高い熱伝導率を有することのできる透明なセラミックス（たとえば透明な酸化アルミニウムセラミックス）を光線透過性の材料として使用することができる。前記カバーの高められた熱伝導率により、熱は前記カバーを通じて良好に周辺空気へ放出され得る。
【００１５】
効果的な熱伝導のためには、冷却体構造体が、良熱伝導性の材料（熱伝導率＞１５Ｗ／（ｍ・Ｋ））、特に金属または金属合金、特に銅および／またはアルミニウムを有する金属または合金から成っている。これにより、冷却体構造体の材料は光源の排熱を、前記カバーおよび／または前記中空室の前側の低温の範囲へ効果的に搬送することできる。これにより、一層良好な冷却が得られる。
【００１６】
さらに別の構成では、前記カバーがバルブであり、前記中空室がバルブ（内）室である。この構成は、特に白熱ランプ代替ＬＥＤレトロフィットランプの実現のために有利である。バルブは特に球欠形もしくは球冠形の形状を有していてよい。その場合、バルブは特にその縁部によって冷却体基部の装着面に取り付けられていてよい。
【００１７】
択一的には、前記カバーはホッパ形の中空室のためのディスク形のカバーであってよい。前記少なくとも１つの光源はホッパ体の底部に配置されていてよい。このようなカバーは特にハロゲンリフレクタランプ代替ＬＥＤレトロフィットランプの実現のために有利である。
【００１８】
前記カバーはその保護機能の他に一般に光学的な機能を有していてよい。このためには、前記カバーに少なくとも所定の範囲において１つまたは複数の光学的な範囲、たとえばレンズ状の範囲等が組み込まれていてよい。言い換えれば、前記カバーは光学レンズ系としての意図されたビーム案内のためにも使用され得る。
【００１９】
さらに別の構成では、冷却体構造体が少なくとも部分的に中空室の内部に配置されている。このことは、中空室との熱結合を助成する。冷却体構造体は特に完全に前記中空室の内部に配置されていてよい。このことは前記カバーの製造を容易にする。
【００２０】
さらに別の構成では、冷却体が前記カバーから少なくとも部分的に間隔を置いて配置されている。このような構成では、冷却体構造体もしくは該冷却体構造体の、冷却のために重要となるカバー側の表面が、有利には前記カバーの（内側の）壁の近傍に、特に前記カバーに対して１０ｍｍよりも大きくない間隔を置いて、特に３ｍｍよりも大きくない間隔を置いて、特に１ｍｍよりも小さな間隔を置いて、位置している。前記壁の近傍における冷却体構造体の位置により、熱は冷却体構造体から相応するカバー範囲へ一層良好に放出され、そしてこのカバー範囲から周辺環境へ放出される。
【００２１】
択一的または付加的に、冷却体構造体は前記カバーに接触していてよい。
【００２２】
さらに別の構成では、冷却体構造体が、前記カバーの光透過性の材料によって少なくとも部分的に取り囲まれており、特に前記カバーの流込み成形時に前記カバーの光透過性の材料によって取り囲まれている。プラスチックの使用には、とりわけ次のような利点がある。すなわち、冷却体は前記カバーの流込み成形により前記カバーによって特に簡単に取り囲まれていて、特に前記カバーの流込み成形により前記カバー内に埋封されていてよい。
【００２３】
冷却体は少なくとも部分的に前記中空室内に突入しており、かつ／または少なくとも部分的に前記カバーの光透過性の材料によって取り囲まれていてよい。このことは極めて良好な熱結合および機械的な安定性をもたらす。
【００２４】
前記冷却体構造体は光透過性の材料によって特に完全に取り囲まれていて、特に光透過性の材料の流込み成形により、この光透過性の材料によって取り囲まれていてよい。このことは製造を簡単にすることができる。
【００２５】
冷却体構造体は少なくとも１つの線材および／または糸を有していてよい。この場合、効果的な熱導出のためには、複数の線材および／または糸が使用され得る。これらの線材および／または糸は、とりわけ簡単でかつ廉価な加工性の利点を有している。
【００２６】
さらに別の構成では、冷却体構造体が、少なくとも前記中空室の中央または中間の高さにまで起立しており、特に前記中空室の少なくとも上側１／４のところまで、特に前記中空室の上側の先端まで起立している。
【００２７】
言い換えれば、冷却体構造体は、該冷却体構造体が、前記中空室の最大高さｈｍａｘに関して前記少なくとも１つの光源から少なくともｈｍａｘ／２の高さ、特に少なくともｈｍａｘ・３／４の高さ、特にｈｍａｘの高さを有する程度に前方または上方へ向かって突出していてよい。冷却体構造体が中空室の上側の先端にまで達していることは、冷却体構造体が、少なくとも中空室の全高にわたって延びていることを意味する。冷却体構造体が前記カバーを貫いて延びているか、または前記カバーの一部である場合、冷却体構造体は特に少なくとも前記カバーの全高にわたって延びており、すなわち前記カバーの外側の先端にまで延びている。
【００２８】
中空室の前側の範囲へ冷却体構造体が突入して延びていることにより、冷却体構造体は、より低温の空気によって取り囲まれている。なぜならば、中空室の前側の範囲は、冷却体装着面および光源の近傍における下側もしくは後側の範囲よりも低温であるからである。したがって、冷却体構造体が前方へ向かって大きく延びれば延びるほど、そして前記カバーおよび／または前記中空室の前側の部分に位置する冷却体構造体の表面が大きくなればなるほど、冷却体構造体はますます良好に冷却される。前記カバーおよび／または前記中空室の前側の範囲における、より大きな冷却表面は、さらに光学的に、たとえばＬＥＤレトロフィットランプのために有利である。なぜならば、発光ダイオードは白熱ランプよりも強力な前進放射線を有しているので、側方の陰影付けが少なく、前方の陰影付けが大きくなることにより、ＬＥＤランプの放射特性を白熱ランプの放射特性に一層近似させることができるからである。
【００２９】
さらに別の構成では、冷却体構造体における、前記カバーおよび／または前記中空室の前側の範囲への熱伝導が、主として前記カバーの内側に沿って行われる。これにより、既に前記カバーの前側の範囲への途中で、前記カバーから周辺環境への熱排出が行われる。
【００３０】
さらに別の構成では、冷却体構造体が前記カバー（すなわち、光透過性の材料）の一部、特に前記カバーの前側の部分および／または前記中空室の前側の部分の代わりに使用されている。すなわち、この構成では、冷却体構造体が少なくとも所定の範囲において、前記カバーの光透過性の材料の代わりに存在していてよい。これにより、特に冷却体構造体の一部は、外側に向かって露出された表面を有することができる。たとえば前記カバーの前側の部分を、冷却体構造体の、外側に向かって露出された部分によって代えることにより、冷却体表面と周辺空気との直接的な接触に基づき、特に効果的な冷却が可能となる。
【００３１】
さらに別の構成では、冷却体構造体が、回転対称的に配置された複数の冷却体構造体、特に冷却ステーを有している。これにより、発光ダイオードにより放射された熱を大面積にわたり分配することができる。このことは、冷却能力を向上させる。冷却ステーは特に自由に起立するように、つまり自立型に形成されていてよい。
【００３２】
一般に、冷却体構造体は前記中空室の範囲において、熱的な視点から、これらの冷却体構造体ができるだけ互いに大きく引き離されて位置し、こうして熱を大面積にわたり分配するように配置されていてよい。冷却体構造体の回転対称的に配置された、特に内部のエレメント、たとえばフィンまたはステーは、互いに大きく引き離されて位置しており、これにより、これらのエレメント相互の熱影響付与は最小限に抑えられており、これらのエレメントは比較的低温の環境に位置しており、したがって一層良好に冷却され得る。
【００３３】
熱的に最適化された変化形では、たとえば場合によっては存在する冷却構造体（冷却ステー／冷却リブ／冷却面等）が、冷却体基部に装着されたＬＥＤを回転対称的に取り囲むように配置されていてよい。冷却能力は、前記カバーに向いた冷却ステー表面の大きさにも関連しているので、回転対称的な配置の場合、太い冷却ステーの数を減らし、細い冷却ステーの数を増やすことによっても、ほぼ同じ冷却能力を得ることができる。細い冷却ステーは、とりわけ線材または糸として形成されていてよい。
【００３４】
さらに別の改良形では、冷却ステーが、少なくとも所定の区分にわたって、前記カバー、特にバルブに向かって拡幅した横断面形状を有している。これにより、前記カバーに向けられた面が、前記カバーへの大きな熱伝達のために大きく保持され得ると同時に、光学的な陰影付けが小さく保持され得るようになる。
【００３５】
さらに別の構成では、冷却体構造体、特に冷却ステーが、少なくとも所定の区分にわたって、前記カバー、特にバルブに向かって拡幅した横断面形状を有している。冷却ステーの、たとえば内側に向かって狭められかつ外側に向かって拡幅した横断面は、一方では前記カバーおよび／または前記中空室の前側の範囲への熱の良好な流通を可能にし、他方では個々の冷却ステー（または別の冷却体構造体）のできるだけ大きな表面を前記カバーに隣接させるために十分な大きさを有していてよい。このことは冷却能力を高める。すなわち、前記カバーおよび／または前記中空室の前側の部分において冷却体構造体、特に冷却ステーを拡幅させることにより、特に効果的な冷却面が提供される。光学的な視点からは、冷却ステーのこのような内側に向かって狭められかつ外側に向かって拡幅された横断面はやはり好都合となる。なぜならば、このような横断面を用いると、ＬＥＤから放射された光線の陰影付けを、内部の冷却体構造体によって減少させることができるからである。
【００３６】
冷却体構造体の横断面形状は一般に熱・光学的な妥協である。冷却体構造体の横断面形状は熱的な視点からは、冷却体が一方では前記中空室または前記カバーの範囲へ熱を効率良く伝導させるために、他方では前記カバーに隣接する、できるだけ大きな表面が得られるようにするために十分な大きさを有するように設定されていることが望ましい。このことは、たとえば個々の冷却ステーまたは全ての冷却ステーについて云える。中央部に装着されたコンパクトなＬＥＤ光源のための別の適当な横断面変化形は、たとえば中心に向かって先細りになった円錐状の横断面であって、前記カバーの形状に適合された丸い外縁部を有する横断面であってよい。
【００３７】
さらに別の構成では、冷却体構造体の表面の大部分（＞５０％）が、前記カバーおよび／または前記中空室の前側の半部に位置している。このことは熱排出を一層高める。「前側の半部」とは、前記少なくとも１つの光源から計算して最も大きく前方へ向かって遠ざけられている半部を意味する。
【００３８】
熱的に最適化された構成では、冷却体構造体が、前記カバーおよび／または前記中空室の前側の範囲内に、または該範囲のところにできるだけ大きな表面を有しており、特に前記中空室の前側の半部には、冷却体表面、特に前記中空室内に位置する冷却体構造体の、前記カバーに向けられた冷却体表面の有利には５％よりも多い面、特に２０％よりも多い面、特に５０％よりも多い面が位置していてよい。前記中空室内に位置する冷却体構造体の場合、一般に前記カバーに対する特に冷却のために重要となる接触が、前記カバーおよび／または前記中空室の前側の範囲において行われると有利である。
【００３９】
さらに別の構成では、冷却体構造体が前記カバーおよび／または前記中空室の前側の範囲で、特にその先端のところで合流している。この構成は特に鏡面加工されたカバーまたは拡散散乱性のカバーと共に使用され得る。冷却体構造体、特に冷却ステーが、前記カバーの前側の範囲において合流することにより、一層効果的な冷却面が提供される。さらに、安定性技術および製作技術の面で有利な構成が得られる。
【００４０】
また、さらに別の構成では、冷却体構造体の少なくとも一部が、光学的に活性の表面、特に鏡面反射性の表面または拡散反射性（散乱性）の表面を有している。これにより、ビーム案内および光線放射特性に意図的に影響を与えることができる。光学的に活性の表面は、たとえば粗面化部、コーティングおよび／または塗装を有していてよい。これにより、ビーム案内および／または当該照明装置から放射された光線の空間的な均一化を簡単に実現することができる。
【００４１】
さらに別の構成では、冷却体構造体が、ビーム案内に適合された位置および／または形状を有している。光学的に適合された変化形では、冷却ステーの位置を外側にずらせばずらすほど、光線損失は少なくなり、それに対して、冷却ステーの位置を内側にずらせばずらすほど、光線放射の均一性が良好となる。
【００４２】
さらに別の構成では、冷却体構造体が、（センタリングされた）センタコラムを有しており、該センタコラムが、装着範囲から前方へ向かって前記カバーにまで突出している。センタコラムによって、熱を大面積にわたり冷却体基部、特に装着面からセンタコラムへ導き、そしてこのセンタコラムを通じてさらに前記カバーの前側の範囲へ導くことができる。このことは特に効果的な冷却を助成する。
【００４３】
さらに別の改良形では、前記センタコラムの前側の範囲が、前記センタコラムを取り囲む少なくとも２つの光源のグループよりも、少なくとも部分的に側方へ大きく延びている。光源は、たとえばセンタコラムを環状に取り囲むように配置されていてよく、たとえばセンタコラムのための同心的な空所を持って配置されていてよい。センタコラムによって光学的に前方の陰影付けが生じなくなるか、または著しい陰影付けが生じなくなり、冷却体基部を備えた冷却体構造体の一層容易な製作可能性および／または組立てが得られるという利点が得られる。
【００４４】
さらに、側方の光線放射を増幅させるために、センタコラムをリフレクタおよび／またはディフューザとして使用することができる。
【００４５】
さらに別の改良形では、当該照明装置が、レトロフィットランプ（後付けランプ）、特に白熱ランプ代替レトロフィットランプである。このような構成では、本発明を特に有利に使用することができる。なぜならば、レトロフィットランプは規格制限されたランプであるからである。
【００４６】
当該照明装置は一般にランプ、照明器具、照明システムおよび／またはその一部であってよい。
【００４７】
以下に、本発明の実施形態を図面につき詳しく説明する。図面中、分かり易くするために同一の構成要素または同一機能の構成要素は、同じ符号で示されている。
【図面の簡単な説明】
【００４８】
【図１】本発明の第１実施形態によるＬＥＤレトロフィットランプの側面図である。
【図２】本発明の第１実施形態によるＬＥＤレトロフィットランプを断面して側方から見た図である。
【図３】本発明の第１実施形態によるＬＥＤレトロフィットランプの２つの部分から成る冷却体の第１の部分を示す側面図である。
【図４】本発明の第１実施形態によるＬＥＤレトロフィットランプの冷却体全体を示す側面図である。
【図５】本発明の第２実施形態によるＬＥＤレトロフィットランプを斜め上方から見た斜視図である。
【図６】本発明の第２実施形態によるＬＥＤレトロフィットランプの側面図である。
【図７】図６のＶＩＩで示した範囲の拡大図である。
【図８】本発明の第２実施形態によるＬＥＤレトロフィットランプの平面図である。
【図９】本発明の第３実施形態によるＬＥＤレトロフィットランプの側面図である。
【図１０】本発明の第３実施形態によるＬＥＤレトロフィットランプの平面図である。
【図１１】本発明の第４実施形態によるＬＥＤレトロフィットランプの側面図である。
【図１２】本発明の第５実施形態によるＬＥＤレトロフィットランプの側面図である。
【図１３】本発明の第４実施形態および第５実施形態によるＬＥＤレトロフィットランプの平面図である。
【図１４】本発明の第６実施形態によるＬＥＤレトロフィットランプのバルブ室を断面して上から見た図である。
【図１５】本発明の第７実施形態によるＬＥＤレトロフィットランプを断面して側方から見た図である。
【図１６】本発明の第７実施形態によるＬＥＤレトロフィットランプを断面して上から見た図である。
【図１７】本発明の第８実施形態によるＬＥＤレトロフィットランプを断面して側方から見た図である。
【図１８】本発明の第８実施形態によるＬＥＤレトロフィットランプを断面して上から見た図である。
【図１９】本発明の第９実施形態によるＬＥＤレトロフィットランプを断面して側方から見た図である。
【図２０】本発明の第９実施形態によるＬＥＤレトロフィットランプを断面して上から見た図である。
【図２１】本発明の第１０実施形態によるＬＥＤレトロフィットランプの斜視図である。
【図２２】本発明の第１０実施形態によるＬＥＤレトロフィットランプを断面して上から見た図である。
【図２３】本発明の第１０実施形態によるＬＥＤレトロフィットランプを断面して側方から見た図である。
【図２４】本発明の第１１実施形態によるＬＥＤレトロフィットランプの一部を示す側面図である。
【図２５】本発明の第１２実施形態によるＬＥＤレトロフィットランプを断面して側方から見た図である。
【図２６】本発明の第１３実施形態によるＬＥＤレトロフィットランプを断面して側方から見た図である。
【図２７】本発明の第１４実施形態によるＬＥＤレトロフィットランプを断面して側方から見た図である。
【図２８】本発明の第１５実施形態によるＬＥＤレトロフィットランプを断面して側方から見た図である。
【図２９】本発明の第１６実施形態によるＬＥＤレトロフィットランプを断面して側方から見た図である。
【００４９】
図１〜図２８には、例示的に白熱ランプ代替ＬＥＤレトロフィットランプが図示されており、図２９には、ハロゲンランプ代替ＬＥＤレトロフィットランプが図示されている。しかし、白熱ランプ代替ＬＥＤレトロフィットランプに関して示された特徴は、ハロゲンランプ代替ＬＥＤレトロフィットランプにも同様に適用可能であり、そしてまたその逆も然りである。
【００５０】
図１には、第１実施形態によるＬＥＤレトロフィットランプ１が側面図で、図２には断面して側方から見た図で、それぞれ図示されている。ＬＥＤレトロフィットランプ１はベース（口金）２と、ヒートシンクもしくは冷却体３と、少なくとも１つの発光ダイオード（図示しない）を備えたＬＥＤモジュール５と、光透過性（透明または半透明）のバルブ４とを有している。ベース２は、たとえばエジソンベースまたはバヨネットベースとして形成されていてよい。ベース２を介してＬＥＤレトロフィットランプ１に電流を供給することができる。電流はドライバ回路（図示しない）を介して、ＬＥＤモジュール５の前記少なくとも１つの発光ダイオードに供給される。ドライバ回路は、冷却体３内に形成されたドライバキャビティ６内に収納されている。こうして、ドライバ回路によって発生させられた熱も冷却体３を介して導出することができる。
【００５１】
ヒートシンクもしくは冷却体３は２つの部分から形成されている。冷却体３は第１の部分としてヒートシンク基部もしくは冷却体基部３ａを有しており、この冷却体基部３ａはＬＥＤモジュール５のためのコンタクト面、載着面または装着面７を有している。装着面７には、ＬＥＤ基板が面状にかつ良熱伝導性に（たとえば熱伝導性ペーストまたはＴＩＭ接着テープのような熱伝導性の接着手段を用いて）取り付けられている。より正確に云えば、支持基板（たとえばボードもしくはプリント配線板および／またはサブマウント）の後面もしくは裏面が、冷却体基部３ａの装着面７に面状に取り付けられており、支持基板の前面もしくは表面には、前記少なくとも１つの発光ダイオードが装着されている。この場合、「前側」とは、ｚ方向（前記少なくとも１つのＬＥＤの主放射方向にも相当する）に向いた方向に関連しており、「（その）後方」または「後側」とは、ｚ方向とは逆向きの方向に関連している。
【００５２】
冷却体基部３ａの形状は慣用の冷却体の形状に相当している。冷却体基部３ａに設けられた複数の冷却リブ８は、ＬＥＤレトロフィットランプ１の長手方向軸線にも相当するｚ軸線を中心にして回転対称的に分配されている。冷却リブ８はこの場合、ＬＥＤモジュール５もしくは前記少なくとも１つの光源の後方に配置されている。
【００５３】
球冠形のバルブ４はＬＥＤモジュール５にアーチ状に跨っていて、ひいては前記少なくとも１つの発光ダイオードにアーチ状に跨っているので、バルブ４とＬＥＤモジュール５もしくは前記少なくとも１つの発光ダイオードとの間には、中空のバルブ室９が形成される。バルブ４はさらに側方で冷却リブ８の少なくとも一部にもアーチ状に跨っており、この場合、これらの冷却リブ８は冷却作用改善のために部分的に露出して直接に周辺環境にさらされている。
【００５４】
ヒートシンクもしくは冷却体３の第２の部分はヒートシンク構造体もしくは冷却体構造体３ｂから成っている。この冷却体構造体３ｂは、回転対称的に配置された複数の冷却リブ１０のクラウンから成っている。これらの冷却リブ１０は前方に向かって冷却体基部３ａの冷却リブ８に続いている。冷却リブ１０はバルブ室９に隣接しており、この場合、冷却リブ１０はバルブ４に対して１ｍｍよりも小さな小間隔を持って、バルブ室９の内部に収納されている。冷却リブ１０はこの場合、バルブ４に向けられた円区分形の輪郭を有しており、この輪郭はバルブ４の形状に従っている。それに対して、冷却リブ１０の、発光ダイオードに向けられた内側の面は垂直方向で上方もしくは前方に向かって延びている。冷却リブ１０は、ｚ方向に延在する長さに沿って、ＬＥＤモジュール５もしくは前記少なくとも１つの発光ダイオードとバルブ室９の長軸端（アプス）または先端１１との間でのバルブ室９の最大高さｈｍａｘの約３／４に相当する高さを有している。冷却体基部３ａと冷却体構造体３ｂとは、たとえば接着により結合されていてよい。
【００５５】
図３には、冷却体基部３ａが側面図で図示されている。円筒状のセンタ部分３ｃの上側のカバー面は装着面７として働き、センタ部分３ｃ内にはドライバキャビティ６が収納されている。冷却体基部３ａは慣用の構造を有している。
【００５６】
図４には、冷却体基部３ａと冷却体構造体３ｂとを備えたＬＥＤレトロフィットランプ１の冷却体３全体が側面図で図示されている。付加的な冷却リブ１０は冷却リブ８に載着していて、これらの冷却リブ８から前方へ向かって（ｚ方向に）突出しており、しかもこの場合、冷却リブ１０はまず装着面７の側方に位置し、次いで装着面７の前方に位置するように突出している。冷却リブ８，１０の厚さは一定でかつ等しく形成されている。
【００５７】
図５には、第２実施形態による本発明によるＬＥＤレトロフィットランプ２１が、斜め上から見た図で、図６には側面図でそれぞれ図示されている。
【００５８】
ＬＥＤレトロフィットランプ２１は基本的に第１実施形態のＬＥＤレトロフィットランプ１と同様に白熱ランプ代替ＬＥＤレトロフィットランプとして構成されていて、第１実施形態のＬＥＤレトロフィットランプ１と同様に、ベース２２と、ヒートシンクもしくは冷却体２３と、ＬＥＤモジュール２５と、光透過性のバルブ２４とを有している。
【００５９】
バルブ２４はプラスチックから成っていてよい。このことは、特に廉価な製作および軽量の構造を可能にする。バルブ２４はガラス、たとえばボロフロートガラス（Borofloatglas）から成っていてもよい。このことは良好な耐老化性および耐引っ掻き性を生ぜしめる。
【００６０】
ＬＥＤモジュール２５は円形のプリント配線板もしくはボード３２を有している。このボード３２には、ＬＥＤレトロフィットランプ２１の長手方向軸線Ｌを中心にして回転対称的に、前方（ｚ方向）へ向かって放射する６つの白色の発光ダイオード３３が取り付けられている。言い換えれば、ボード３２は環状に配置された複数の発光ダイオード３３を備えている。図面を見易くするという理由だけで、冷却体２３のドライバキャビティ内に存在するドライバに通じた線路貫通案内部および線路等は図示されていない。
【００６１】
冷却体２３は単一部分から一体に形成されていてよい。この場合、冷却体２３は概念上、２つの部分に分割されていてよく、すなわち冷却体基部２３ａと、実質的に発光ダイオード３３の前方に配置された冷却体構造体２３ｂとに分割されていてよい。冷却体基部２３ａは、ＬＥＤモジュール２５を装着するか、もしくは取り付けるための装着面２７と、その下側またはその後側で長手方向軸線Ｌに関して半径方向に配置された、外側に向けられた冷却リブ２８とを有している。
【００６２】
冷却体構造体２３ｂは同じく装着面２７上で冷却体基部２３ａに結合されていて、しかも半径方向（ｒ方向）においてＬＥＤモジュール２５のボード３２の外側で冷却体基部２３ａに結合されている。冷却体構造体２３ｂは、装着面２７から垂直に上方へ向かって延びる６つの冷却ステー３０を有している。これらの冷却ステー３０は、高さが進行するにつれて、内側へ向かってバルブ室２９の先端３１の方向に湾曲していて、しかもこの場合、先端３１に向かって徐々に細身化している。したがって、冷却ステー３０はバルブ室２９のほぼ全高にわたって延びている。冷却ステー３０の自由端部もしくは先端は接触し合っていない。冷却ステー３０は、効果的な冷却のために長手方向軸線Ｌに関して回転対称的に形成されている。さらに冷却ステー３０は、バルブ２４の方向に面して平坦化された表面３４を有している。この表面３４はバルブ２４には接触せずに、バブル２４に対して約１ｍｍまたはそれ以下の小さな間隔を置いて配置されている。
【００６３】
冷却ステー３０の形状と、バルブ２４の、半球体よりも少しだけ大きな部分球体形に形成された形状とは、バルブ２４を冷却体２３に装着するために、しかもこの場合、図７に拡大図で示されているように、冷却体基部２３ａの装着面２７の最も外側の縁部に装着するために適している。
【００６４】
図８には、ＬＥＤレトロフィットランプ２１が平面図で示されている。冷却ステー３０は発光ダイオード３３に対して最大の周方向間隔を置いて配置されている。これにより、発光ダイオード３３により放射された光線の僅かな割合しか冷却ステー３０によって遮られない。冷却ステー３０は言い換えれば、発光ダイオード３３の上方に配置されているのではなく、側方に配置されているわけである。
【００６５】
ＬＥＤレトロフィットランプ１，２１の作動時に、発光ダイオード３３はその損失出力に基づき昇温する。この熱の大部分はボード３２を介して冷却体３；２３の装着面７；２７へ放出され、熱の小部分はバルブ室９；２９を加熱する。冷却体３；２３内でのヒートスプレッディング（熱拡散）により、熱の一部は冷却リブ８；２８に導かれ、そして冷却リブ８；２８から周辺環境へ放射される。しかし、冷却リブ８；２８の表面は、ＬＥＤレトロフィットランプとして適当であるために規定された形状要因に基づいて制限されている。
【００６６】
それゆえに、より効果的な冷却もしくは排熱のためには、熱が、冷却体構造体２３ｂ（冷却リブ１０、冷却ステー３０）内にも導出され、そしてこの冷却体構造体２３ｂを加熱する。こうして、増幅されて熱がバルブ室９；２９内に導入され、ひいてはバルブ４；２４内に導入される。冷却構造体１０；３０はバルブ室９；２９の高さの１／２よりも大きな長さにわたって延びていることにより、特に、通常では比較的冷たい前側の範囲が加熱される。これにより、バルブ４；２４は特にその前側の範囲において、一層強く加熱され、相応して、冷却構造体１０；３０なしの場合よりも多くの熱を放出する。
【００６７】
図９には、第３実施形態によるＬＥＤレトロフィットランプ４１が側面図で、図１０には平面図で、それぞれ図示されている。このＬＥＤレトロフィットランプ４１は第２実施形態によるＬＥＤレトロフィットランプ２１に類似しているが、しかしこの場合、ヒートシンクもしくは冷却体４３の冷却体構造体４３ｂが、第２実施形態の場合とは異なって構成されている。
【００６８】
冷却体構造体４３ｂは、長手方向軸線に対して回転対称的に配置された６つの冷却ステー４３ｃが、第２実施形態における冷却ステー３０と同様に、まずは冷却体４３の装着面から垂直方向で前方または上方に向かって起立するように構成されている。しかし第２実施形態とは異なり、冷却ステー４３ｃはバルブ２４の前側の半部または上側の半部において徐々にドーム状に集束している。すなわち、冷却ステー４３ｃは１つの閉じたドーム形の冷却体構造体４３ｄを形成している。これにより、冷却体構造体４３ｂの表面の大部分はバルブ室２９の前側の部分または前側の半部に位置している。ドーム形の冷却体構造体４３ｄは発光ダイオード３３を覆っていないが、しかし第２実施形態によるＬＥＤレトロフィットランプ２１よりも大きな光線部分を遮るか、または反射させる（拡散反射または鏡面反射）。こうして、発光ダイオード３３の使用によって、慣用の白熱ランプの場合よりも強力に前方（ｚ軸線の方向）へ向けられている光線分布を、慣用の白熱ランプの光線分布に一層近づけることができる。さらに、バルブ室２９およびバルブ２４の前側の範囲が、第２実施形態の場合よりも強力に加熱されるので、熱を一層効果的に導出させることができる。さらに、冷却体構造体４３ｂは機械的に一層安定的となる。
【００６９】
図１１には、第４実施形態によるＬＥＤレトロフィットランプ５１が側面図で図示されている。このＬＥＤレトロフィットランプ５１は第３実施形態によるＬＥＤレトロフィットランプ４１に類似しているが、しかしこの場合、ヒートシンクもしくは冷却体５３の、実質的に発光ダイオード３３の前方に位置する冷却体構造体５３ｂが、第３実施形態の場合とは異なって構成されている。この場合、冷却ステー５３ｃは徐々にまたは連続的に互いに移行するのではなく、直接に球冠形またはシェル形のキャップ５３ｄへ移行している。このキャップ５３ｄはバルブ室２９の前側の範囲に配置されている。この場合にも、バルブ室２９およびバルブ２４の前側の範囲は、第２実施形態の場合よりも強力に加熱されるので、熱を一層効果的に導出させることができる。さらに、冷却体構造体５３ｂも機械的に一層安定的となる。冷却体構造体５３ｂはバルブ２４から間隔を置いて配置されているか、または少なくとも部分的に直接にバルブ２４に隣接しているか、もしくはバルブ２４に接触していてもよい。直接的な接触により、冷却体構造体５３ｂからバルブ２４への熱伝導が改善される。
【００７０】
図１２には、第４実施形態によるＬＥＤレトロフィットランプ５１に類似した第５実施形態によるＬＥＤレトロフィットランプ６１が側面図で図示されている。第４実施形態とは異なり、ヒートシンクもしくは冷却体６３の、発光ダイオード３３の前方に位置する冷却体部分６３ｂのシェル形のキャップ６３ｄは、バルブ６４の光透過性の材料の一部の代わりに使用されており、したがってバルブの一部を成している。これにより、キャップ６３ｄの外面は周辺環境に対して露出されており、このことは周辺環境への熱放出を増幅させる。キャップ６３ｄの内側はバルブ室２９に隣接しており、こうして冷却ステー６３ｃを通って近付けられた熱の他に、直接にかつ大面積にわたりバルブ室２９から熱を導出させることができる。
【００７１】
図１３には、第４実施形態および第５実施形態によるＬＥＤレトロフィットランプ５１，６１のための１実施例が平面図で図示されている。この場合にも、発光ダイオード３３は冷却体部分５３ｂ；６３ｂ、特にキャップ５３ｄ；６３ｄによって直接には覆われていない。
【００７２】
図１４には、第６実施形態によるＬＥＤレトロフィットランプ７１のバルブ室２９の断面図の輪郭が平面図で図示されている。バルブ４内には、回転対称的に複数の冷却ステー７３が取り付けられている。図面には、これらの冷却ステー７３のうちの３つだけが描き込まれている。これらの冷却ステー７３は、中央に取り付けられた唯一つの発光ダイオード３３を側方で取り囲んでいる。冷却ステー７３の横断面形状は三角形であり、この場合、各冷却ステー７３の尖ったエッジ７４は中央に取り付けられた発光ダイオード３３に向けられており、尖ったエッジ７４とは逆向きの平坦な面７５はバルブ４に向かい合って位置している。冷却ステー７３はバルブ４から間隔を置いて取り付けられている。広幅の平坦な面７５により、各冷却ステー７３からバルブ４への効果的な熱伝達が得られる。
【００７３】
冷却ステー７３の表面は（拡散または鏡面）反射性に形成されているので、発光ダイオード３３から側方に放射された光線はさらに均一化され、この場合、幾つかの光線ビームＬ１は冷却ステー７３の間を抜けて真っ直ぐに進行し、別の光線ビームＬ２は冷却ステー７３によって変向される。
【００７４】
当然ながら、場合によっては高さにわたって変化する別の横断面形状（楕円形、円形、四角形または多角形等）および別の横断面積も使用可能である。
【００７５】
図１５には、第７実施形態によるＬＥＤレトロフィットランプ８１を断面して側方から見た図が、図１６には断面して上から見た図がそれぞれ図示されている。ヒートシンクもしくは冷却体８３はこの場合、中央に配置されたセンタコラム８３ｂの形で装着面２７から起立した冷却体構造体を有している。このセンタコラム８３ｂの下側の接触面もしくは下側の範囲は、環状に配置された発光ダイオード３３のグループによって側方で取り囲まれている。前方に向かって、つまり高さが増大するにつれて、センタコラム８３ｂはまずは細身化し、次いで前側の範囲において再び星形に、つまり放射状に拡開している。センタコラム８３ｂの前側の範囲はバルブ室２９の先端にまで延びており、これによってセンタコラム８３ｂはバルブ室２９の全高を占めている。センタコラム８３ｂは発光ダイオード３３を覆っておらず、それどころか周方向で間隔を置いて配置された突出部８４または放射状の拡開体の「ビーム」は、側方で発光ダイオード３３を越えて延びている。センタコラム８３ｂの使用には、次のような利点がある。すなわち、センタコラム８３ｂは装着面２７の大部分（環状のＬＥＤボードの使用時）またはボードの大部分に接触することができ、こうして冷却体基部２３ａからの極めて良好な熱導出を達成する。センタコラム８３ｂは効果的な熱伝導のために、中実材料、たとえば金属から製造されている。バルブ室２９の前側の部分における大きな表面および場合によってはバルブ４への接触により、さらに、外部への良好な熱導出が達成される。センタコラム８３ｂのくびれた形状は、高さ方向における光線放射を均一化するための（拡散または鏡面）光線反射を助成する。
【００７６】
図１７には、第８実施形態によるＬＥＤレトロフィットランプ９１を断面して側方から見た図が、図１８には断面して上から見た図がそれぞれ図示されている。ＬＥＤレトロフィットランプ９１はこの場合、複数の発光ダイオード３３の前方に配置された冷却体構造体を備えており、この冷却体構造体は各発光ダイオード３３の間でバルブ室２９内に垂直に起立したプレート形の冷却リブ９３ｂを有している。これらの冷却リブ９３ｂはバルブ室２９の全高にわたって延びている。冷却リブ９３ｂは平面図で見てバルブ室２９の中心に向けられており、したがって隣接した発光ダイオード３３を互いに対して仕切っている。発光ダイオード３３から放射された光線の均一化は、冷却リブ９３ｂの反射性の表面によって達成される。これらの冷却リブ９３ｂも、その全体または一部が、鏡面反射性または拡散反射性（散乱性）に形成されていてよい。さらに冷却リブ９３ｂは装着面２７またはボードとの大きな接触面を有している。冷却リブ９３ｂが前方（ｚ方向）に向かって拡開していることにより、バルブ４の前側の範囲への熱伝導が助成される。
【００７７】
図１９には、第７実施形態に類似した第９実施形態によるＬＥＤレトロフィットランプ１０１を断面して側方から見た面が、図２０には断面して上から見た図が、それぞれ図示されている。第７実施形態とは異なり、センタコラム１０３ｂは、環状のプリント配線板もしくはボード１０６にセンタコラム１０３ｂを取り囲むように配置された複数の発光ダイオード３３の主放射方向を覆っている。言い換えれば、センタコラム１０３ｂは発光ダイオード３３を覆っており、これにより前側の放射方向は一層抑制され、発光ダイオード３３から放射された光線は一層強力に側方に放射される。このことは、たとえばサイドエミッタタイプの使用において、たとえば天井ランプ、廊下ランプまたは浴室ミラーランプのために有利になり得る。このためには、センタコラム１０３ｂの、バルブ室２９に隣接した表面が、特に鏡面反射性または拡散反射性に形成されていてよい。反射は、別の実施形態の場合と同様に、たとえば相応するコーティングもしくは被覆体によって実現され得る。
【００７８】
図２１には、第１０実施形態によるＬＥＤレトロフィットランプ１１１の斜視図が、図２２にはＬＥＤレトロフィットランプ１１１を断面して上から見た図が、図２３には断面して側方から見た図が、それぞれ図示されている。ヒートシンクもしくは冷却体はこの場合にも、中央に配置されたセンタコラム１１３ｂの形で装着面２７から起立した冷却体構造体を有している。センタコラム１１３ｂは装着面２７からの良好な熱導出のために、バルブ室２９の上側の先端にまで通じた、くびれた「幹」１１３ｃを有している。幹１１３ｃは、前側に発光ダイオード３３を備えた環状のボードによって取り囲まれている。幹１１３ｃの前端部では、幹１１３ｃを起点として側方に、回転対称的に配置されたストリップ１１３ｄが延びている。これらのストリップ１１３ｄは発光ダイオード３３を覆っていない。図示の「ヤシの木」形のセンタコラム１１３ｂにより、たとえばストリップ１１３ｄの幅および／または長さによって、前方へ向かってストリップ１１３ｄを通過する光線の割合を簡単に調節することができる。したがって、前方へ向かって放射された光線の強さを簡単な手段によって調節することもできる。ストリップ１１３ｄは少なくとも下方へ向かう方向で、もしくはバルブ室２９に隣接して反射性を有していてよく、これにより発光効率および側方でかつ下方へ向けられた光線割合が高められる。
【００７９】
図２４には、第１１実施形態によるＬＥＤレトロフィットランプ１２１を断面して側方から見た図が図示されている。第１１実施形態は第１０実施形態の変化形を成しており、この場合、幹１２３ｃの先端を起点として、個々のストリップの代わりに、湾曲させられた格子状または傘骨状の冷却構造体１２３ｄが延びている。このことは、前方に対する陰影付けおよび機械的な安定性を高める。この場合にも、冷却体構造体１２３ｂの、主としてバルブ室２９の前側の範囲もしくはバルブ４の前側の範囲に存在する面によって、この前側の範囲への良好な熱導入およびこの前側の範囲からの良好な熱導出が達成される。
【００８０】
図２５には、第１２実施形態によるＬＥＤレトロフィットランプ１３１の一部が側面図で図示されている。この場合、第１０実施形態とは異なり、冷却体構造体１３３ｂの幹１３３ｃの先端を起点として、湾曲させられたフード状のキャップ１３３ｄが延びている。このような「錨形」の構成は、前方に対する陰影付けおよび機械的な安定性を一層高める。
【００８１】
図２６には、第１３実施形態によるＬＥＤレトロフィットランプ１４１を断面して側方から見た面が図示されている。この場合、装着面２７に装着された冷却ステー１４３ｂはリングセグメント状に上方へ向かって延びていて、そしてバルブ１４４の先端１４５のところで収束している。冷却体構造体の冷却ステー１４３ｂは光透過性の範囲１４９と交互に配置されている。このためには、光透過性の範囲１４９の材料が、各冷却ステー１４３ｂの間の間隙に導入されており、たとえば光透過性のプラスチックの場合には各冷却ステー１４３ｂの間の間隙に射出成形されている。この構成は、冷却ステー１４３ｂが特に周辺環境に直接露出していることに基づき、特に良好な熱放出を生ぜしめる。冷却ステー１４３ｂは、たとえば金属または合金、炭素材料、たとえば黒鉛等から成っていてよい。
【００８２】
択一的には、冷却ステー１４３ｂの全体またはその一部が、光透過性の材料によって取り囲まれていてもよく、たとえば冷却ステー１４３ｂの周面に光透過性の材料を射出成形することにより、この光透過性の材料によって取り囲まれていてもよい。このような構成は製作技術的に一層簡単であると同時に、一層好感の持てる印象を与えることができる。
【００８３】
図２７には、第１４実施形態によるＬＥＤレトロフィットランプ１５１を断面して側方から見た図が図示されている。その横断面に関して比較的太い冷却ステーの代わりに、細い冷却線材または冷却糸１５３ｂが冷却体構造体として使用される。これらの冷却糸１５３ｂは冷却体基部の装着面からバルブ１５４の先端にまで延びている。冷却糸１５３ｂは特にバルブ１５４の流込み成形時に、バルブ１５４の光透過性の材料内に埋封されてよい。冷却糸１５３ｂとしては、たとえば銀糸、黒鉛糸、銅線材または銅糸等を使用することができる。たしかに、単独の冷却糸１５３ｂは、単独の冷却ステーよりも僅かな熱伝導しか可能にしないが、しかし冷却糸１５３ｂは、より大きな本数で使用され得る。冷却糸は、より均一な陰影付けを生ぜしめることができる。
【００８４】
図２８には、第１４実施形態に類似した第１５実施形態によるＬＥＤレトロフィットランプ１６１を断面して側方から見た図が図示されている。この場合、ヒートシンクもしくは冷却体の冷却体構造体として冷却糸１６３ｂが使用されている。冷却体の装着面もしくは（中実な）冷却体基部からバルブ１６４の先端にまで延びる冷却糸１６３ｂに対して付加的に、周方向に環状に延びる冷却糸１６３ｃが存在している。これらの冷却糸１６３ｃは熱排出を一層改善する。このためには、冷却糸１６３ｃが冷却糸１６３ｂと熱接触していて、たとえば冷却糸１６３ｂと共に一体に１つの網状の構造体として製造されていてよい。この構造体は特にバルブ１６４の流込み成形の際に、バルブ１６４の光透過性の材料内に一緒に埋封されていてよい。
【００８５】
図２９には、第１６実施形態によるＬＥＤレトロフィットランプ１７１を断面して側方から見た図が図示されている。ＬＥＤレトロフィットランプ１７１はハロゲン放射器に用いられるレトロフィットランプとして形成されている。
【００８６】
ＬＥＤレトロフィットランプ１７１は冷却体基部１７３ａを有している。この冷却体基部１７３ａは、ほぼホッパ状に形成されていて、後側でベース１７２、たとえばバヨネットベースへ移行している。ホッパ体の上側の開口は、ディスク形の光透過性のカバー１７４によって覆われているので、冷却体基部１７３ａとカバー１７４とは中空室１７９を形成している。冷却体基部１７３ａを形成するホッパ体の底部として働くベース１７２には、少なくとも１つの発光ダイオード３３が設けられている。この発光ダイオード３３は、垂直方向で上方に向かってカバー１７４を通る方向に向けられた主放射方向を有している。したがって、中空室１７９は、主として前記少なくとも１つの発光ダイオードとカバー１７４との間にも形成される。
【００８７】
冷却体基部１７３ａの外面１７８は慣用の形式通りに、前記少なくとも１つの発光ダイオード３３により発生させられた排熱を導出するための冷却リブを有しているのに対して、ホッパ体の内面１７７はほとんど平滑に形成されており、したがって冷却体構造体を有していない。
【００８８】
図示の実施形態では、中空室１７９内に、冷却体構造体が、直立した冷却ステー１７３ｂの形で導入されている。これらの冷却ステー１７３ｂはホッパ体もしくはベース１７２の底部に載着されていて、中空室１７９の全高にわたって、カバー１７４に接触するまで延びている。これにより、ベース１７２からカバー１７４にまで別の「熱通路」が形成される。このことは、前記少なくとも１つの発光ダイオード３３からの熱導出を助成する。しかし、別の冷却体構造体、たとえば図１〜図２８に示した実施形態と同様の冷却体構造体を使用することもできる。
【００８９】
当然ながら、本発明は図示の実施形態に限定されるものではない。
【００９０】
すなわち、図示の全ての冷却体構造体および前記少なくとも１つの発光ダイオードの前方に位置する別の冷却体構造体は、バルブから間隔を置いて配置されていてよく、部分的にバルブの代わりに使用されていてよく、かつ／または光透過性の材料によって取り囲まれていてよい。
【００９１】
一般に、前記実施形態の特徴は組み合わされた形で使用され、かつ／または互いに代えられてもよい。すなわち、図１〜図２８に示した白熱ランプ代替レトロフィットランプのエレメントを、図２９に示したハロゲン放射器代替レトロフィットランプのために使用するか、または別のランプタイプ、たとえばリニアランプ、蛍光管等のためにも使用され得る。
【符号の説明】
【００９２】
１  ＬＥＤレトロフィットランプ
２  ベース
３  冷却体
３ａ  冷却体基部
３ｂ  冷却体構造体
３ｃ  センタ部分
４  バルブ
５  ＬＥＤモジュール
６  ドライバキャビティ
７  装着面
８  冷却リブ
９  バルブ室
１０  冷却リブ
１１  バルブ室の先端
２１  ＬＥＤレトロフィットランプ
２２  ベース
２３  冷却体
２３ａ  冷却体基部
２３ｂ  冷却体構造体
２４  バルブ
２５  ＬＥＤモジュール
２７  装着面
２８  冷却リブ
２９  バルブ室
３０  冷却ステー
３１  バルブ室の先端
３２  ボード
３３  発光ダイオード
３４  冷却ステーの表面
４１  ＬＥＤレトロフィットランプ
４３  冷却体
４３ｂ  冷却体構造体
４３ｃ  冷却ステー
４３ｄ  ドーム形の冷却体構造体
５１  ＬＥＤレトロフィットランプ
５３  冷却体
５３ｂ  冷却体構造体
５３ｃ  冷却ステー
５３ｄ  シェル形のキャップ
６１  ＬＥＤレトロフィットランプ
６３  冷却体
６３ｂ  冷却体部分
６３ｃ  冷却ステー
６３ｄ  シェル形のキャップ
６４  バルブ
７１  ＬＥＤレトロフィットランプ
７３  冷却ステー
７４  冷却ステーの尖ったエッジ
７５  冷却ステーの平坦な面
８１  ＬＥＤレトロフィットランプ
８３  冷却体
８３ｂ  センタコラム
８４  突出部
９１  ＬＥＤレトロフィットランプ
９３ｂ  冷却リブ
１０１  ＬＥＤレトロフィットランプ
１０３ｂ  センタコラム
１０６  環状のボード
１１１  ＬＥＤレトロフィットランプ
１１３ｂ  センタコラム
１１３ｃ  幹
１２１  ＬＥＤレトロフィットランプ
１２３ｂ  冷却体構造体
１２３ｃ  幹
１２３ｄ  傘骨状の冷却体構造体
１３１  ＬＥＤレトロフィットランプ
１３３ｂ  冷却体構造体
１３３ｃ  幹
１３３ｄ  キャップ
１４１  ＬＥＤレトロフィットランプ
１４３ｂ  冷却ステー
１４４  バルブ
１４５  バルブの先端
１４９  バルブの光透過性の範囲
１５１  ＬＥＤレトロフィットランプ
１５３ｂ  冷却糸
１５４  バルブ
１６１  ＬＥＤレトロフィットランプ
１６３ｂ  冷却糸
１６３ｃ  冷却糸
１６４  バルブ
１７１  ＬＥＤレトロフィットランプ
１７２  ベース
１７３ａ  冷却体基部
１７３ｂ  冷却ステー
１７４  カバー
１７７  ホッパ体の内面
１７８  外面
１７９  中空室
ｈｍａｘ  中空室の最大高さ
Ｌ  長手方向軸線
Ｌ１  光線ビーム
Ｌ２  光線ビーム
ｚ  ｚ軸線
【図１】
2013517608.tif 000003
【図２】
2013517608.tif 000004
【図３】
2013517608.tif 000005
【図４】
2013517608.tif 000006
【図５】
2013517608.tif 000007
【図６】
2013517608.tif 000008
【図７】
2013517608.tif 000009
【図８】
2013517608.tif 000010
【図９】
2013517608.tif 000011
【図１０】
2013517608.tif 000012
【図１１】
2013517608.tif 000013
【図１２】
2013517608.tif 000014
【図１３】
2013517608.tif 000015
【図１４】
2013517608.tif 000016
【図１５】
2013517608.tif 000017
【図１６】
2013517608.tif 000018
【図１７】
2013517608.tif 000019
【図１８】
2013517608.tif 000020
【図１９】
2013517608.tif 000021
【図２０】
2013517608.tif 000022
【図２１】
2013517608.tif 000023
【図２２】
2013517608.tif 000024
【図２３】
2013517608.tif 000025
【図２４】
2013517608.tif 000026
【図２５】
2013517608.tif 000027
【図２６】
2013517608.tif 000028
【図２７】
2013517608.tif 000029
【図２８】
2013517608.tif 000030
【図２９】
2013517608.tif 000031
【手続補正書】
【提出日】平成24年11月19日(2012.11.19)
【手続補正１】
【補正対象書類名】図面
【補正対象項目名】図８
【補正方法】変更
【補正の内容】
【図８】
2013517608.tif 000032
【国際調査報告】
2013517608.tif 000033
2013517608.tif 000034
2013517608.tif 000035
2013517608.tif 000036